(57)【要約】【課題】ターボファン等遠心ファンの羽根を改良することにより、該羽根の負圧面側での空気の剥離による騒音の発生を抑制する。【解決手段】円形の主板１４および円形の側板１５を有するとともに、これら主板１４および側板１５の間に内部が空胴の多数枚の羽根１６，１６・・・を所定の翼角、所定の翼間隔で周方向に並設してなる遠心ファンにおいて、上記羽根１６，１６の側板１５側に空胴部２０内への補助空気取入口２０ｂを設ける一方、上記羽根１６，１６・・・の外周部負圧面側に補助空気吹出口２０ａを設けて、十分な風量と風速の吹出気流で羽根の負圧面側の不安定な境界層の剥離を効果的に抑制するようにした。【選択図】        図４
2008002379.tif 000002
【特許請求の範囲】
【請求項１】
円形の主板（１４）および円形の側板（１５）を有するとともに、これら主板（１４）および側板（１５）の間に内部が空胴の多数枚の羽根（１６），（１６）・・・を所定の翼角、所定の翼間隔で周方向に並設してなる遠心ファンにおいて、上記羽根（１６），（１６）の側板（１５）側に空胴部（２０）内への補助空気取入口（２０ｂ）を設ける一方、上記羽根（１６），（１６）・・・の負圧面側に補助空気吹出口（２０ａ）を設けたことを特徴とする遠心ファン。
【請求項２】
円形の主板（１４）および円形の側板（１５）を有するとともに、これら主板（１４）および側板（１５）の間に内部が空胴の多数枚の羽根（１６），（１６）・・・を所定の翼角、所定の翼間隔で周方向に並設してなる遠心ファンにおいて、上記羽根（１６），（１６）の主板（１４）側に空胴部（２０）内への補助空気取入口（２０ｂ）を設ける一方、上記羽根（１６），（１６）・・・の負圧面側にノズル構造の補助空気吹出口（２０ａ）を設けたことを特徴とする遠心ファン。
【請求項３】
円形の主板（１４）および円形の側板（１５）を有するとともに、これら主板（１４）および側板（１５）の間に内部が空胴の多数枚の羽根（１６），（１６）・・・を所定の翼角、所定の翼間隔で周方向に並設してなる遠心ファンにおいて、上記羽根（１６），（１６）の側板（１５）側に空胴部（２０）内への補助空気取入口（２０ｂ）を設ける一方、上記羽根（１６），（１６）・・・の負圧面側にノズル構造の補助空気吹出口（２０ａ）を設けたことを特徴とする遠心ファン。
【請求項４】
負圧面側の補助空気吹出口（２０ａ）は、負圧面と略平行な方向に延びて開口しているとともに同負圧面側の空気吹出口（２０ａ）の開口面と内側空胴部（２０）との接続部は、断面積が徐々に変化するノズル構造の空気吹出通路となっていることを特徴とする請求項２又は３記載の遠心ファン。
【請求項５】
負圧面側空気吹出口（２０ａ）のノズル構造の空気吹出通路の壁面から羽根（１６）の外周縁までの一部あるいは全てには、主流方向に延びる整流溝が形成されていることを特徴とする請求項４記載の遠心ファン。
【請求項６】
ノズル構造の空気吹出通路と空胴部（２０）の間にはノズル構造の空気吹出通路の延設方向と平行なガイドリブ（Ｌ１），（Ｌ２）が設けられていることを特徴とする請求項４又は５記載の遠心ファン。
【発明の詳細な説明】
【技術分野】
【０００１】
本願発明は、遠心ファンの構造に関するものである。
【背景技術】
【０００２】
例えばターボファン等の遠心ファンでも、必要に応じて羽根重量を軽量化するために、中空羽根構造が採用されている。
【０００３】
しかし、このような中空羽根構造を採用したターボファン等の遠心ファンでも、羽根の負圧面の外周端部近傍において空気の剥離が生じ、この剥離部分での空気の渦流の発生に伴って送風音が増大し、空気調和装置等の装置全体としての運転音を低減するには限界があった。
【０００４】
そこで、従来その対策として、上記中空羽根の内部空間を主板側に開放する一方、また、空気供給手段として、この主板側の開放部分から導入した空気を羽根の負圧面側に供給するように該負圧面に空気吹出口を設けた構成とし、同空気吹出口からの吹出気流により、上記負圧面近傍での空気の流れを改良することにより、上記負圧面側での空気の剥離による騒音の発生を抑制するようにしたものがある（特許文献１参照）。
【０００５】
【特許文献１】特開平１０−１８４５９１号公報（明細書１−４、図１−７）
【発明の開示】
【発明が解決しようとする課題】
【０００６】
しかし、該従来技術の構成では、吹出のための補助空気取入れ口が主板側となっているので、天埋型又は天吊型空気調和機に適用したような場合に、送風機の主板と空調機の筺体との間隔が狭くなり、有効な吹出風量を得ることが難しい問題があった。
【０００７】
また、一方上記負圧面側部への空気吹出口の形状も、必ずしも剥離抑制に効果のある有効な形状になっておらず、境界層の制御効果、送風性能向上効果を得にくい問題があった。
【０００８】
本願発明は、このような問題を解決するためになされたもので、空胴部への補助空気取入れ口を側板側に設けるか、または負圧面側の空気吹出口をノズル構造にし、有効な吹出風量または空気吹出速度の吹出気流を得られるようにして、剥離抑制効果を向上させた遠心ファンを提供することを目的とするものである。
【課題を解決するための手段】
【０００９】
本願発明は、上記の目的を達成するために、次のような課題解決手段を備えて構成されている。
【００１０】
（１）  請求項１の発明
この発明は、円形の主板１４および円形の側板１５を有するとともに、これら主板１４および側板１５の間に内部が空胴の多数枚の羽根１６，１６・・・を所定の翼角、所定の翼間隔で周方向に並設してなる遠心ファンにおいて、上記羽根１６，１６の側板１５側に空胴部２０内への補助空気取入口２０ｂを設ける一方、上記羽根１６，１６・・・の負圧面側に補助空気吹出口２０ａを設けたことを特徴としている。
【００１１】
このような構成によれば、羽根１６，１６・・・の内部が中空で空胴部２０を有する構成となっているので、従来同様の遠心ファン１１の送風作用を、羽根重量を増大させることなく実現することができ、羽根１６，１６・・・に作用する遠心力も小さくなる。その結果、可及的に軽量で高剛性の羽根を実現できる。また駆動力も小さくて済む。
【００１２】
そして、その場合において、当該空胴部２０を有する羽根１６，１６・・・には、外部空気の吸込側である側板１５側に位置して当該空胴部２０に連通する補助空気取入口２０ｂが設けられているとともに、外周部側負圧面には、境界層剥離抑制用の補助空気吹出口２０ａが設けられている。
【００１３】
したがって、遠心ファン１１が駆動されると、補助空気取入口２０ｂから側板１５外部の空気が何の障害物もなく空胴部２０内に効率良く取り入られ、空胴部２０を介して補助空気吹出口２０ａに供給され、同補助空気吹出口２０ａから負圧面外周方向にスムーズに吹き出されて行く。
【００１４】
このため、例えば前述のような天井埋込型空気調和機（または天吊型空気調和機）に適用した場合にも、従来のように送風機の主板と空気調和機の筺体との間隔が狭くなり、有効な吹出風量を得ることが難しいと言った問題が解決される。
【００１５】
また、上記補助空気取入口２０ｂから空胴部２０内に取入れられた空気は、空胴部２０内に作用する遠心ファン１１の回転による遠心力の作用により羽根外周方向に向けて効果的に昇圧され、羽根１６，１６・・・の外周側負圧面にある補助空気吹出口２０ａから外周方向に吹き出される空気の流速は有効に増速されて高流速となる。
【００１６】
これらの結果、同構成によれば、十分な風量と風速の吹出気流を得ることができ、羽根１６の負圧面側の不安定な境界層の剥離を有効に抑制することができ、送風性能向上、送風音低減効果を向上させることができる。
【００１７】
（２）  請求項２の発明
この発明は、円形の主板１４および円形の側板１５を有するとともに、これら主板１４および側板１５の間に内部が空胴の多数枚の羽根１６，１６・・・を所定の翼角、所定の翼間隔で周方向に並設してなる遠心ファンにおいて、上記羽根１６，１６の主板１４側に空胴部２０内への補助空気取入口２０ｂを設ける一方、上記羽根１６，１６・・・の負圧面側にノズル構造の補助空気吹出口２０ａを設けたことを特徴としている。
【００１８】
このような構成によれば、羽根１６，１６・・・の内部が中空で空胴部２０を有する構成となっているので、従来同様の遠心ファン１１の送風作用を、羽根重量を増大させることなく実現することができ、羽根１６，１６・・・に作用する遠心力も小さくなる。その結果、可及的に軽量で高剛性の羽根を実現できる。また駆動力も小さくて済む。
【００１９】
そして、その場合において、当該空胴部２０を有する羽根１６，１６・・・には、主板１４側に位置して当該空胴部２０に連通する補助空気取入口２０ｂが設けられているとともに、外周部側負圧面には、境界層剥離抑制用の補助空気吹出口２０ａが設けられている。
【００２０】
したがって、遠心ファン１１が駆動されると、主板１４側の補助空気取入口２０ｂから主板１４外部の空気が空胴部２０内に取り入られ、空胴部２０を介して補助空気吹出口２０ａに供給され、同補助空気吹出口２０ａから負圧面外周方向にスムーズに吹き出されて行く。
【００２１】
なお、このように主板１４側に補助空気取入口２０ｂを設けても、例えば前述のような天井埋込型空気調和機（または天吊型空気調和機）以外の空気調和機に適用した場合には、従来の送風機の主板と空気調和機の筺体との間隔が狭くなり、有効な吹出風量を得ることが難しいと言った問題は生じず、十分な量の空気を取入れることができる。
【００２２】
一方、上記補助空気取入口２０ｂから空胴部２０内に取入れられた空気は、空胴部２０内に作用する遠心ファン１１の回転による遠心力の作用により羽根外周方向に向けて効果的に昇圧され、羽根１６，１６・・・の外周側負圧面にある補助空気吹出口２０ａから外周方向に吹き出される空気の流速は有効に増速されて高流速となる。
【００２３】
しかも、以上の構成では、同負圧面側の空気吹出口２０ａがノズル構造の吹出口に形成されている。
【００２４】
したがって、上述の十分な風量の導入空気をファン回転時の遠心力で外周方向に昇圧させた上で、さらに高い風速で負圧面外周方向に吹き出させることができ、羽根１６の負圧面側の不安定な境界層の剥離を一層有効に抑制することができるようになり、より送風性能向上、送風音低減効果を向上させることができる。
【００２５】
これらの結果、同構成によれば、十分な風量と風速の吹出気流を得ることができ、羽根１６の負圧面側の不安定な境界層の剥離を有効に抑制することができ、送風性能向上、送風音低減効果を向上させることができる。
【００２６】
（３）  請求項３の発明
この発明は、円形の主板１４および円形の側板１５を有するとともに、これら主板１４および側板１５の間に内部が空胴の多数枚の羽根１６，１６・・・を所定の翼角、所定の翼間隔で周方向に並設してなる遠心ファンにおいて、上記羽根１６，１６の側板１５側に空胴部２０内への補助空気取入口２０ｂを設ける一方、上記羽根１６，１６・・・の負圧面側にノズル構造の補助空気吹出口２０ａを設けたことを特徴としている。
【００２７】
このような構成によれば、羽根１６，１６・・・の内部が中空で空胴部２０を有する構成となっているので、従来同様の遠心ファン１１の送風作用を、羽根重量を増大させることなく実現することができ、羽根１６，１６・・・に作用する遠心力も小さくなる。その結果、可及的に軽量で高剛性の羽根を実現できる。また駆動力も小さくて済む。
【００２８】
そして、その場合において、当該空胴部２０を有する羽根１６，１６・・・には、外部空気の吸込側である側板１５側に位置して当該空胴部２０に連通する補助空気取入口２０ｂが設けられているとともに、外周部側負圧面には、境界層剥離抑制用の補助空気吹出口２０ａが設けられている。
【００２９】
したがって、遠心ファン１１が駆動されると、補助空気取入口２０ｂから側板１５外部の空気が何の障害物もなく空胴部２０内に効率良く取り入られ、空胴部２０を介して補助空気吹出口２０ａに供給され、同補助空気吹出口２０ａから負圧面外周方向にスムーズに吹き出されて行く。
【００３０】
このため、例えば前述のような天井埋込型空気調和機（または天吊型空気調和機）に適用した場合にも、従来のように送風機の主板と空気調和機の筺体との間隔が狭くなり、有効な吹出風量を得ることが難しいと言った問題が解決される。
【００３１】
また、上記補助空気取入口２０ｂから空胴部２０内に取入れられた空気は、空胴部２０内に作用する遠心ファン１１の回転による遠心力の作用により羽根外周方向に向けて効果的に昇圧され、羽根１６，１６・・・の外周側負圧面にある補助空気吹出口２０ａから外周方向に吹き出される空気の流速は有効に増速されて高流速となる。
【００３２】
これらの結果、同構成によれば、十分な風量と風速の吹出気流を得ることができ、羽根１６の負圧面側の不安定な境界層の剥離を有効に抑制することができ、送風性能向上、送風音低減効果を向上させることができる。
【００３３】
また、前述した従来例における羽根負圧面側への空気吹出口の形状は、単に縦長の開口部を形成しただけで必ずしも剥離抑制に効果のある吹出口構造になっておらず、境界層の制御効果、送風性能向上作用を得にくい問題があったが、以上の構成では、同負圧面側の空気吹出口２０ａが、さらにノズル構造の吹出口に形成されている。
【００３４】
したがって、上述の十分な風量の導入空気をファン回転時の遠心力で外周方向に昇圧させた上で、さらに一段と高い風速で負圧面外周方向に吹き出させることができ、上記羽根１６，１６・・・の負圧面側の不安定な境界層の剥離を一層有効に抑制することができるようになり、より送風性能向上、送風音低減効果を向上させることができるようになる。
【００３５】
（４）  請求項４の発明
この発明は、上記請求項２又は３の発明の構成において、負圧面側の補助空気吹出口２０ａは、負圧面と略平行な方向に延びて開口しているとともに同負圧面側の空気吹出口２０ａの開口面と内側空胴部２０との接続部は、断面積が徐々に変化するノズル構造の空気吹出通路となっていることを特徴としている。
【００３６】
このように、羽根１６，１６・・・の負圧面側に設けられた補助空気吹出口２０ａが、羽根負圧面と略平行な方向に延びて開口しているとともに、同負圧面側の空気吹出口２０ａの開口面と内側空胴部２０との接続部が、断面積が徐々に変化するノズル構造の空気吹出通路になっていると、上述した空胴部２０から負圧面側外周方向へ吹き出される空気の増速効果が、さらに有効に向上し、上述の剥離抑制効果が高くなる。
【００３７】
（５）  請求項５の発明
この発明は、上記請求項４の発明の構成において、負圧面側空気吹出口２０ａのノズル構造の空気吹出通路壁面から羽根１６の外周縁までの一部あるいは全てには、主流方向に延びる整流溝が形成されていることを特徴としている。
【００３８】
このように、羽根１６，１６・・・の負圧面側補助空気吹出口２０ａのノズル構造の空気吹出通路壁面から羽根１６，１６・・・の外周縁までの一部あるいは全てに、主流方向に延びる整流溝が形成されていると、上記負圧面外周方向に高流速で吹き出される吹出気流がスムーズな流れに整流され、より有効に剥離抑制作用が向上する。
【００３９】
（６）  請求項６の発明
この発明は、上記請求項４又は５の発明の構成において、ノズル構造の空気吹出通路と空胴部２０の間にはノズル構造の空気吹出通路の延設方向と平行なガイドリブＬ1，Ｌ2が設けられていることを特徴としている。
【００４０】
このように、ノズル構造の空気吹出通路と空胴部２０の間に、ノズル構造の空気吹出通路の延設方向と平行なガイドリブＬ1，Ｌ2が設けられていると。空胴部２０内の空気を上述したファン回転時に遠心力が作用する空気吹出方向に効果的に整流ガイドすることができるようになる。
【発明の効果】
【００４１】
以上の結果、本願発明によれば、十分な風量と風速の吹出気流で、羽根の負圧面側の不安定な境界層の剥離を効果的に抑制することができ、有効な送風性能向上、送風音低減効果を実現することができる。
【発明を実施するための最良の形態】
【００４２】
（最良の実施の形態１）
図１〜図６は、例えば天井埋込型空気調和機に適用した本願発明の最良の実施の形態１に係る遠心ファンの構造を示している。
【００４３】
図中、先ず符号２は、当該天井埋込型空気調和機１のカセット型の本体ケーシングである。該本体ケーシング２は、その吸気・吹出パネル（下面パネル部）４が天井３と略同一平面状に連続するようにして、天井３内に埋設されている。
【００４４】
そして、上記本体ケーシング２の上記吸気・吹出パネル４には、中央部に方形の空気吸込口５が設けられ、さらに、その内側に遠心ファンの一例であるターボファン１１用のベルマウス６が連設されている。
【００４５】
また、上記本体ケーシング２の吸気・吹出パネル４の上記空気吸込口５の外周部４方には、所定の幅の空気吹出口９，９・・が設けられている。
【００４６】
そして、上記本体ケーシング２内には上記空気吸込口５から上記ベルマウス６を経て上記空気吹出口９，９・・方向に到る全周方向の通風路１０が形成されており、該通風路１０の上記ベルマウス６の背後（図示上部）中央に位置して、その空気吸込側（後述する側板１５側）が上記ベルマウス６に対応するターボファン１１がファンモータ１３およびファンモータ１３の回転駆動軸１３ａを介して上記本体ケーシング２の天板２ａに吊設されている。
【００４７】
また、同通風路１０には、該ターボファン１１を囲む状態で空気熱交換器１２が設けられている。
【００４８】
一方、該ターボファン１１は、上記ファンモータ１３の回転駆動軸１３ａに対して固定された円形の主板１４とターボファン羽根車内遠心方向への空気吸込口を形成する他端側筒状の側板１５との間に多数枚の羽根（動翼羽根）１６，１６・・・を所定の翼角、所定の翼間隔で周方向に並設して構成されている。他方、その側板１５の筒状の空気吸込側端部内側には、上記ベルマウス６の下流側筒状の空気流出口側端部が所定の隙間を保って相対回転可能に所定寸法遊嵌されている。
【００４９】
上記ベルマウス６は、上記ターボファン羽根車の空気吸込口を形成している側板１５の空気吸込側端部に対して上記本体ケーシング２側空気吸込口５からの空気を羽根車内遠心方向にスムーズに流入させるために、図示のように吸気・吹出パネル４への取付縁部から内方に延び、その空気流上流側から空気流下流側にかけて次第に開口径が縮小した所定曲率半径の空気流入口部と空気流出口部とからなる気流ガイド面を有して構成されている。そして、その形状により上記ターボファン羽根車の側板１５に対応して、上記ターボファン羽根車の吸込側の空気を当該吸込側において吹出側遠心方向にスムーズに吸込ガイドすることによって送風時に生じる空力騒音を可能な限り低減するようにしている。
【００５０】
ところで、この実施の形態の場合、上記羽根１６，１６・・・は、例えば図４〜図６に示すように、内側に空胴部２０を有する中空構造のものよりなっていて、可及的な軽量化が図られている一方、内周端側から外周端側にかけてエアフォイル形状をなして構成されている。
【００５１】
すなわち、該羽根１６は、中空部形成用の凹部１６ａを形成した羽根本体部材１６ｂの同凹部１６ａの開口段部１６ｄ，１６ｅに対して蓋部材１６ｃを連続面を形成するように一体に溶着接合して構成されており、それによって内周端側（吸込側）から外周端側（吹出側）にかけて次第に空間部の断面積の幅が小さくなる図４，図５の断面構造のような空胴部２０が形成され、該空胴部２０によって図示の如きエアフォイル構造の羽根１６が形成されている。
【００５２】
そして、その外周端側負圧面部分には空胴部２０内の空気を外周方向に吹き出す補助空気吹出口２０ａが、また側板１５側端部には、補助的に側板１５の外部の空気を空胴部２０内に取り入れるための翼弦方向に延びる補助空気取入口２０ｂが、それぞれ設けられている。そして、空胴部２０内は、それらによって空気の流通が可能になっている。
【００５３】
上記羽根１６の負圧面側の補助空気吹出口２０ａは、回転軸に直交する面で切断した断面で見た時に、羽根１６の最大厚み部分よりも外周側に設けられている。また同補助空気吹出口２０ａは、例えば図４および図５に示すように、上記羽根１６の外周縁に略平行な方向に延びて開口する上下方向に長いスリット形状の開口に形成され、その内側の上記羽根１６内の空胴部２０との接続部は、上記空胴部２０側から補助空気吹出口２０ａ側にかけて断面積がａ〜ｃ（ａ＞ｂ＞ｃ）と徐々に小さくなるように変化するノズル構造の空気吹出通路となっている。
【００５４】
この結果、上記羽根１６の厚みは負圧面側の補助空気吹出口２０ａの開口面部でステップ状に薄くなり、外周縁（チップ部）では上記補助空気吹出口２０ａが設けられていない部分と同じ厚さに収束するものとなっている。
【００５５】
そして、同ノズル構造の空気吹出通路上流側には所定の長さ空胴部２０内に延びて、当該通路の延設方向と平行なガイドリブＬ1，Ｌ2が上下に位置して並設され、空胴部２０から補助空気吹出口２０ａ方向に吹き出される空気流の吹出方向を境界層の剥離を抑制するのに適正な吹出方向に整流ガイドするようになっている。
【００５６】
以上のような構成によれば、羽根１６の内部が中空で空胴部２０を有する構成となっているので、従来同様のターボファン等遠心ファン１１の送風作用を、羽根重量を増大させることなく実現することができ、羽根１６，１６・・・に作用する遠心力も小さくなる。その結果、可及的に軽量で高剛性の羽根を実現することができる。また駆動力も小さくて済む。
【００５７】
そして、その場合において、当該空胴部２０を有する羽根１６には、外部空気の吸込側である側板１５側に位置して当該空胴部２０に連通する補助空気取入口２０ｂが設けられているとともに、その最大厚み部よりも外周部側負圧面には、境界層剥離抑制用の補助空気吹出口２０ａが設けられている。
【００５８】
したがって、ターボファン等遠心ファン１１が駆動されると、補助空気取入口２０ｂから側板１５外部の空気が何の障害物もなく空胴部２０内に効率良く取り入られ、空胴部２０を介して補助空気吹出口２０ａに供給され、同補助空気吹出口２０ａから負圧面外周方向にスムーズに吹き出されて行く。
【００５９】
このため、例えば上述のような天井埋込型空気調和機（または天吊型空気調和機）に適用した場合にも、従来のように送風機の主板と空気調和機の筺体との間隔が狭くなり、有効な吹出風量を得ることが難しいと言った問題が解決される。
【００６０】
また、上記補助空気取入口２０ｂから空胴部２０内に取入れられた空気は、空胴部２０内に作用するファン回転による遠心力の作用により羽根外周方向に向けて効果的に昇圧され、羽根１６の外周側にある補助空気吹出口２０ａから外周方向に吹き出される空気の流速は増速されて高流速となる。
【００６１】
これらの結果、結局同構成によれば、十分な風量と風速の吹出気流を得ることができ、羽根１６の負圧面側の不安定な境界層の剥離を有効に抑制することができ、送風性能向上、送風音低減効果を可及的に向上させることができる。
【００６２】
また、前述した従来例における羽根負圧面側への空気吹出口の形状は、単に縦長の開口部を形成しただけで必ずしも剥離抑制に効果のある吹出口構造になっておらず、境界層の制御効果、送風性能向上作用を得にくい問題があったが、以上の構成では、同負圧面側の空気吹出口２０ａがノズル構造の空気吹出通路を有するノズル構造の空気吹出口に形成されている。
【００６３】
したがって、上述の十分な風量の導入空気をファン回転時の遠心力で外周方向に昇圧された上で、さらに高い風速で負圧面外周方向に吹き出させることができ、羽根１６の負圧面側の不安定な境界層の剥離を一層有効に抑制することができるようになり、より送風性能向上、送風音低減効果を向上させることができる。
【００６４】
さらに、また以上の場合、上記本実施の形態の羽根１６は、上述のように、羽根本体部を形成する羽根本体部材１６ｂと蓋部材１６ｃとの２つの部材より構成されていて、上記ノズル構造の空気吹出通路部および補助空気吹出口２０ａは、それら羽根本体部材１６ｂと蓋部材１６ｃとの間に形成され、特に補助空気吹出口２０ａの開口面は、羽根本体部材１６ｂの外周端部の一部を上下に所定幅かつ所定の深さ切り欠くことによって形成されている。また、ガイドリブＬ1，Ｌ2も上記空気吹出通路部の上流から空胴部２０内に延びて連接する形で羽根本体部材１６ｂ側に一体に設けられている。
【００６５】
したがって、それらガイドリブＬ1，Ｌ2やノズル構造の空気吹出通路部および補助空気吹出口２０ａ等の形成は極めて容易であり、例えば合成樹脂による一体成型で容易に実現することができる。
【００６６】
（変形例１）
なお、以上の最良の実施の形態１では、上述のような天井埋込型空気調和機（または天吊型空気調和機）に適用することを前提として、従来の送風機の主板と空気調和機の筺体との間隔が狭くなり、有効な吹出風量を得ることが難しいと言った問題を解決するために、羽根１６の側板１５側に補助空気取入口２０ｂを形成したが、それら以外の上記の問題の生じないタイプの空気調和機等に適用する場合には、従来と同様に主板１４側に補助空気取入口２０ｂを形成しても十分な量の風量を得ることができ、空胴部２０からの空気吹出通路および補助空気吹出口２０ａに上述と同様の構造を採用すれば、全く同様に十分な風量と風速の吹出気流を得ることができ、羽根１６の負圧面側の不安定な境界層の剥離を有効に抑制することができ、送風性能向上、送風音低減効果を可及的に向上させることができる。
【００６７】
（変形例２）
次に、図７は、上記本願発明の最良の実施の形態１に係る遠心ファンの変形例２の構造を示している。
【００６８】
本例の構成では、上記最良の実施の形態１の遠心ファンの構成において、上記負圧面側空気吹出口２０ａのノズル構造の空気吹出通路の壁面から羽根１６の外周縁（チップ部）までの全て（又は一部でもよい）には、図示のように主流方向に延びる整流溝が形成されていることを特徴としている。
【００６９】
このように、羽根１６，１６・・・の負圧面側補助空気吹出口２０ａのノズル構造の空気吹出通路の壁面から羽根１６，１６・・・の外周縁までの全て（又は一部）に、主流方向に延びる整流溝が形成されていると、上記負圧面外周方向に高流速で吹き出される吹出気流がスムーズな流れに整流され、より有効に剥離抑制作用が向上する。
【００７０】
この場合、上記整流溝の断面形状としては、例えば三角形状（Ｖ字溝）、矩形状（方形溝）その他の形状のものの採用が可能である。
【００７１】
（最良の実施の形態２）
次に、図８は、上記の場合と同様に天井埋込型空気調和機に適用した本願発明の最良の実施の形態２に係る遠心ファンの構造を示している。
【００７２】
本実施の形態の構成では、上記羽根１６の側板１５側端部に所定の幅の側板１５側凹部１５ａへの嵌合用の凸部１６ｆが形成されており、同凸部１６ｆを当該側板１５側に形成したファン回転軸方向への凹部１５ａ内に嵌合させて相互に一体化する構造になっている一方、それら凸部１６ｆと凹部１５ａの各々の嵌合状態において相互に対面する縦壁部部分に対して、図示のように相互に同軸状に対応して連通する補助空気取入口２０ｂを形成したことを特徴としている。
【００７３】
その他、補助空気吹出口２０ａ側の構成については、上述した最良の実施の形態１の場合と同様であり、同様の作用を奏する。
【００７４】
このような構成にすると、側板１５と羽根１６との確実な一体化、強度アップを図りながら、上記最良の実施の形態１の場合と全く同様の羽根負圧面側の不安定な境界層の剥離を抑制し、それによる送風性能向上、送風音低減効果を実現することができる。
【００７５】
なお、符号１４ｂは羽根１６を主板１４側に取り付けるための嵌合凹部である。
【００７６】
（最良の実施の形態３）
次に、図９は、上記の場合と同様に天井埋込型空気調和機に適用した本願発明の最良の実施の形態３に係る遠心ファンの構造を示している。
【００７７】
本実施の形態の構成では、上記羽根１６の側板１５側端部に側板１５に形成した凸部１５ｂを嵌合する所定の幅の開口部が形成されており、上記側板１５側の凸部１５ｂを上記羽根１６の側板１５側に形成した開口部内に図示のように嵌合させて一体化する構造になっている一方、上記嵌合された側板１５の凸部１５ｂのテーパー面状の底壁部に補助空気取入口２０ｂを設けたことを特徴としている。
【００７８】
その他、補助空気吹出口２０ａ側の構成については、上述した最良の実施の形態１の場合と同様であり、同様の作用を奏する。
【００７９】
このような構成にすると、やはり側板１５と羽根１６との確実な一体化、強度アップを図りながら、上記最良の実施の形態１の場合と全く同様の羽根負圧面側の不安定な境界層の剥離を抑制し、それによる送風性能向上、送風音低減効果を実現することができる。
【００８０】
（その他の実施の形態）
なお、上述の各実施の形態における補助空気取入口２０ｂには、必要に応じて格子状、網状、グリル状等各種の形状のフィルタを設け、ゴミ等が入るのを防止する。
【図面の簡単な説明】
【００８１】
【図１】天井埋込型空気調和機に適用した本願発明の最良の実施の形態１に係る遠心ファンおよび空気調和機の構成を示す断面図である。
【図２】同ファンの羽根車の斜視図である（この場合、図１とは上下を逆にして示している。以下の各図においても同じ）。
【図３】同ファンの羽根車の羽根部の拡大側面図（負圧面側）である。
【図４】同ファンの羽根車の羽根の構成を示す断面図（図３のＡ−Ａ）である。
【図５】同ファンの羽根車の羽根の構成を示す断面図（図３のＢ−Ｂ）である。
【図６】同ファンの羽根車の羽根の分解斜視図である。
【図７】同ファンの変形例２に係る羽根車の羽根部の側面図（負圧面側）である。
【図８】本願発明の最良の実施の形態２に係る遠心ファンの羽根車の羽根の構成を示す断面図である。
【図９】本願発明の最良の実施の形態３に係る遠心ファンの羽根車の羽根の構成を示す断面図である。
【符号の説明】
【００８２】
６はベルマウス、１０は通風路、１１はターボファン、１４は主板、１４ａはハブ、１５は側板、１６は羽根、２０は空胴部、２０ａは補助空気吹出口、２０ｂは補助空気取入口である。
【図１】
2008002379.tif 000003
【図２】
2008002379.tif 000004
【図３】
2008002379.tif 000005
【図４】
2008002379.tif 000006
【図５】
2008002379.tif 000007
【図６】
2008002379.tif 000008
【図７】
2008002379.tif 000009
【図８】
2008002379.tif 000010
【図９】
2008002379.tif 000011